(57)【要約】【課題】  この発明は、レーザ光の投射範囲を指定する送信機を目標物に対して設置し、投射範囲外へのレーザ光投射を制御することを目的とする。【解決手段】  投射範囲が予め設定された目標物に向けてレーザ光を投射するレーザ光投射手段（３）と、目標物から出力される投射範囲情報を含む信号を受信する投射範囲情報信号受信手段（１）と、受信された投射範囲情報を含む信号から投射範囲情報の未検出を検知する投射範囲情報未検出検知手段（４）と、投射範囲情報を含む信号から投射範囲情報の未検出が検知された場合は前記レーザ光の投射を中止するよう制御する制御手段（４）とを備えるように構成している。【選択図】    図１
2006350199.tif 000002
【特許請求の範囲】
【請求項１】
スクリーンに向けてレーザ光を投射するためのレーザポインタ装置において、
投射範囲が予め設定された目標物に向けてレーザ光を投射するレーザ光投射手段と、
前記目標物から出力される投射範囲情報を含む信号を受信する投射範囲情報信号受信手段と、
前記受信された投射範囲情報を含む信号から投射範囲情報の未検出を検知する投射範囲情報未検出検知手段と、
前記投射範囲情報を含む信号から投射範囲情報の未検出が検知された場合は前記レーザ光の投射を中止するよう制御する制御手段と、を備えることを特徴とするレーザポインタ装置。
【請求項２】
スクリーンに向けてレーザ光を投射するためのレーザポインタ装置において、
投射範囲が予め設定された目標物に向けてレーザ光を投射するレーザ光投射手段と、
前記目標物から出力される投射範囲情報を含む信号を受信する投射範囲情報信号受信手段と、
前記受信された投射範囲情報を含む信号から投射範囲情報の未検出を検知する投射範囲情報未検出検知手段と、
前記投射範囲情報を含む信号から投射範囲情報の未検出が検知されない場合は前記レーザ光の投射を継続し、投射範囲情報の未検出が検知された場合は前記レーザ光の投射を中止するよう制御する制御手段と、を備えることを特徴とするレーザポインタ装置。
【請求項３】
投射範囲が予め設定された目標物に向けてレーザ光を投射するステップと、
前記目標物から出力される投射範囲情報を含む信号を受信するステップと、
前記受信された投射範囲情報を含む信号から投射範囲情報の未検出を検知するステップと、
前記投射範囲情報を含む信号から投射範囲情報の未検出が検知された場合は前記レーザ光の投射を中止するよう制御するステップと、を備えることを特徴とするレーザ光の出力方法。
【請求項４】
スクリーンに向けてレーザ光を投射するためのレーザ光投射システムにおいて、
前記スクリーンに設けられ、レーザ光の投射範囲が予め設定され、投射範囲情報を含む信号を出力する目標物と、
前記目標物に向けてレーザ光を投射するレーザ光投射手段と、
前記目標物から出力される投射範囲情報を含む信号を受信する投射範囲情報信号受信手段と、
前記受信された投射範囲情報を含む信号から投射範囲情報の未検出を検知する投射範囲情報未検出検知手段と、
前記投射範囲情報を含む信号から投射範囲情報の未検出が検知された場合は前記レーザ光の投射を中止するよう制御する制御手段と、を備えることを特徴とするレーザ光投射システム。
【請求項５】
スクリーンに設けられ、レーザ光の投射範囲が予め設定され、投射範囲情報を含む信号を出力する目標物に向けてレーザ光を投射するステップと、
前記目標物から出力される投射範囲情報を含む信号を受信するステップと、
前記受信された投射範囲情報を含む信号から投射範囲情報の未検出を検知するステップと、
前記投射範囲情報を含む信号から投射範囲情報の未検出が検知された場合は前記レーザ光の投射を中止するよう制御するステップと、を備えることを特徴とするレーザ光の出力方法。
【発明の詳細な説明】
【技術分野】
【０００１】
この発明は、例えば講演等のプレゼンテーションにおいて、スクリーンに映した画像を指示するレーザポインタ装置に関する。
【背景技術】
【０００２】
レーザポインタ装置を用いてプレゼンテーションを行なう際に、プレゼンターが、レーザ光をスクリーンではなく、聴衆者に向けてしまい、不快感な思いをさせるという問題があった。
【０００３】
ここで、特許文献１にはレーザポインタから赤外光を投射し、この赤外光がスクリーンに投射されているかをＣＣＤ等の撮像手段で撮像し、赤外光が撮像されている場合はレーザ光の投射を許可する技術が開示されている。
【０００４】
また、特許文献２にはスクリーンに反射した光をレーザポインタで受信し、切換タイミングを検出してレーザ光を投射させる技術が開示されている。
【０００５】
しかしながら、これらの技術ではプロジェクターやレーザポインタから投射された光や赤外線を受信し、これを解析するための制御回路を別に構成する必要があるという問題があった。
【特許文献１】特開２０００−３２１５３１号公報
【特許文献２】特開２００３−２７９８９１号公報
【発明の開示】
【発明が解決しようとする課題】
【０００６】
そこで、この発明は上記事情を考慮してなされたもので、また、レーザ光の投射範囲を指定する送信機を目標物に対して設置し、投射範囲外へのレーザ光投射を制御することを目的としている。
【課題を解決するための手段】
【０００７】
この発明に係るレーザポインタ装置は、投射範囲が予め設定された目標物に向けてレーザ光を投射するレーザ光投射手段と、目標物から出力される投射範囲情報を含む信号を受信する投射範囲情報信号受信手段と、受信された投射範囲情報を含む信号から投射範囲情報の未検出を検知する投射範囲情報未検出検知手段と、投射範囲情報を含む信号から投射範囲情報の未検出が検知された場合は前記レーザ光の投射を中止するよう制御する制御手段とを備えるように構成している。
【０００８】
また、この発明に係るレーザ光の出力方法は、投射範囲が予め設定された目標物に向けてレーザ光を投射するステップと、目標物から出力される投射範囲情報を含む信号を受信するステップと、受信された投射範囲情報を含む信号から投射範囲情報の未検出を検知するステップと、投射範囲情報を含む信号から投射範囲情報の未検出が検知された場合は前記レーザ光の投射を中止するよう制御するステップとを備えるように構成している。
【０００９】
また、この発明に係るレーザ光投射システムは、スクリーンに設けられ、レーザ光の投射範囲が予め設定され、投射範囲情報を含む信号を出力する目標物と、目標物に向けてレーザ光を投射するレーザ光投射手段と、目標物から出力される投射範囲情報を含む信号を受信する投射範囲情報信号受信手段と、受信された投射範囲情報を含む信号から投射範囲情報の未検出を検知する投射範囲情報未検出検知手段と、投射範囲情報を含む信号から投射範囲情報の未検出が検知された場合は前記レーザ光の投射を中止するよう制御する制御手段と、を備えるように構成している
【発明の効果】
【００１０】
上記のように構成することによって、レーザ光の投射範囲を指定する送信機が目標物に対して設置されているため、投射範囲外へのレーザ光投射を制御することが可能となる。また、送信機は着脱が可能に構成されるので、既存のプレゼンテーション装置に対しても設置可能となり、安全装置をリーズナブルに付加したレーザポインタ装置を提供することが可能となる。
【発明を実施するための最良の形態】
【００１１】
以下、この発明の実施の形態について図面を参照して詳細に説明する。
【００１２】
図１は、この発明の実施の形態を示すもので、レーザポインタ装置の構成とレーザポインタ装置から発信機を備えたスクリーンに向けてレーザ光が投射されるようすを示す図である。
【００１３】
投射目標であるスクリーンには予め、発信機５、６、７が設けられている。そして、発信機５、６、７からは投射範囲情報が発信されている。
【００１４】
符号１０はレーザポインタ装置である。レーザポインタ装置１０のユーザがスイッチ２を押すと、制御部４へ信号が送信され、この信号を受信した制御部４の制御によってレーザダイオード３からレーザ光が出力される。このレーザ光はスクリーンに設けられた発信機５、６、７で指定される投射範囲内に向けて投射されることが望まれる。レーザダイオード３から出力されたレーザ光は、目標物（スクリーン）へ向けて投射される。
【００１５】
このとき、発信機５、６、７からは投射範囲情報が発信されている。レーザポインタ装置１０は受信機１を備えており、発信機５、６、７から発信された投射範囲情報を受信する。
【００１６】
受信機１には指向性を持たせており、発信機５、６、７から発信された投射範囲情報を受信できない場合（例えば、スクリーン（目標物）に発信機が備えられていない場合当）は、投射範囲情報を受信できないことを検知（感知）し、この情報を制御装置４へ送信する。制御装置４は投射範囲情報を受信できないことを検知した場合はレーザダイオード３に対して上記レーザ光の出力を中止するよう制御する。これは、スイッチ２が押され、レーザ光出力が指示されている場合であっても実行する。このように構成することによって、レーザ光は予め設定された投射範囲内に投射され、投射範囲外へ誤って投射されることを防止することが可能となる。
【００１７】
図２は、この発明の実施の形態におけるレーザポインタ装置および発信機の動作を説明するフローチャートである。
【００１８】
符号１０１はここでの開始ステップである。続いて符合１０２を付したステップへ進む。
【００１９】
符号１０２はスクリーン（目標物）に設けられる発信機５，６，７の電源をＯＮするステップである。続いて符合１０３を付したステップへ進む。
【００２０】
符号１０３は発信機５，６，７から投射範囲情報を出力するステップである。続いて符合１０４を付したステップへ進む。
【００２１】
符号１０４はレーザポインタ１０のレーザ光出力スイッチがＯＮにされるステップである。続いて符合１０５を付したステップへ進む。
【００２２】
符号１０５はレーザポインタ１０からスクリーン（目標物）に向けて、レーザ光を出力するステップである。続いて符合１０７を付したステップへ進む。
【００２３】
符号１０７はレーザポインタ１０において投射範囲情報を検出するステップである。続いて符合１０８を付したステップへ進む。
【００２４】
符号１０８は投射範囲情報未検出（検出できない）かを判断するステップである。投射範囲情報未検出である（検出できない）と判断された場合は符合１０９を付したステップへ進む（Ｙｅｓ）。投射範囲情報未検出ではないと判断された場合は符合１０５を付したステップへ進み、上記処理が繰り返される（Ｎｏ）。
【００２５】
符号１０９はレーザポインタ１０がレーザ光の出力を中止するステップである。続いて符合１１０を付したステップへ進む。
【００２６】
符号１１０は終了ステップであり、ここでの処理は終了する。
【００２７】
上述したように、この発明は、投射範囲が予め設定された目標物に向けてレーザ光を投射するレーザ光投射手段と、目標物から出力される投射範囲情報を含む信号を受信する投射範囲情報信号受信手段と、受信された投射範囲情報を含む信号から投射範囲情報の未検出を検知する投射範囲情報未検出検知手段と、投射範囲情報を含む信号から投射範囲情報の未検出が検知された場合は前記レーザ光の投射を中止するよう制御する制御手段とを備えるように構成している。
【００２８】
このため、レーザ光の投射範囲を指定する送信機が目標物に対して設置されているので、投射範囲外へのレーザ光投射を制御することが可能となるという効果がある。また、送信機は着脱が可能に構成されるので、既存のプレゼンテーション装置に対しても設置可能となり、安全装置をリーズナブルに付加したレーザポインタ装置を提供することが可能となるという効果がある。
【００２９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３０】
【図１】この発明の実施の形態を示すもので、レーザポインタ装置の構成とレーザポインタ装置から発信機を備えたスクリーンに向けてレーザ光が投射されるようすを示す図。
【図２】同実施の形態におけるレーザポインタ装置および発信機の動作を説明するフローチャート。
【符号の説明】
【００３１】
１…受信機、２…スイッチ、３…レーザダイオード、４…制御装置、５…発信機、６…発信機、７…発信機、１０…レーザポインタ装置
【図１】
2006350199.tif 000003
【図２】
2006350199.tif 000004